(57)【特許請求の範囲】
【請求項１】
円形の胴部と、この胴部の両端に設けられた鍔部とからなるリールにおいて、
前記鍔部の胴部に近接する箇所には、光ファイバを胴部の外周接線方向に沿って鍔部の内側から外側に導くガイド手段が設けられており、前記ガイド手段は、鍔部を内外に渡って斜めに貫通する貫通孔から構成されており、前記貫通孔は、前記胴部の中心軸に対して７０〜９０°の角度をなす方向に形成されていることを特徴とするリール。
【請求項２】
鍔部の外側において前記貫通孔に連成されるとともに、その底面が胴部の外周接線方向に平坦に形成された引き出し溝を有する請求項１記載のリール。
【発明の詳細な説明】
【０００１】
【産業上の利用分野】
本発明は、主として光ファイバを巻き付ける場合に使用されるリールに関する。
【０００２】
【従来の技術】
一般に、光ファイバの余長処理等のためには、光ファイバを巻き付けるためのリールが使用される。
【０００３】
従来の光ファイバ用リールは、単に、円形の胴部の両端に鍔部が形成されたものであり、左右の鍔部の一方の内面部分に光ファイバの始端部を粘着テープ等で貼り付けた後、リールを回転させつつ光ファイバを連続的に供給することにより、光ファイバを胴部に巻き付けるようにしている。
【０００４】
【発明が解決しようとする課題】
しかし、従来のリールを使用して光ファイバを巻き付ける場合には、光ファイバの始端部が左右の鍔部内にそのまま位置しているので、この始端部の上に巻き付けられる光ファイバに過度な曲がりが生じる。特に、多層になるほどそれが顕著になるために、整列巻きができなくなる。
【０００５】
その結果、充填密度が低下して長尺の光ファイバの巻き付けが困難になるだけでなく、局部的に過度な曲げが生じるために、損失が大きくなる等の不都合を生じる。
【０００６】
本発明は、上記の問題点を解決するためになされたもので、ファイバの充填密度を高くした整列巻きが可能であり、しかも、巻き付けられるファイバに局部的な過度の曲げが生じないようなリールを提供することを課題とする。
【０００７】
【課題を解決するための手段】
本発明は、上記の課題を解決するため、円形の胴部と、この胴部の両端に設けられた鍔部とからなるリールにおいて、次の構成を採る。
【０００８】
すなわち、本発明では、前記鍔部の胴部に近接する箇所に、光ファイバを胴部の外周接線方向に沿って鍔部の内側から外側に導くガイド手段が設けられており、前記ガイド手段は、鍔部を内外に渡って斜めに貫通する貫通孔から構成されており、前記貫通孔は、前記胴部の中心軸に対して７０〜９０°の角度をなす方向に形成されている。
【００１０】
【作用】
上記構成において、ファイバをリールに巻き付ける場合には、最初に光ファイバの始端部をこのリールのガイド手段（貫通孔）に沿わせて鍔部の内側から外側に引き出す。
【００１１】
そして、リールを回転させつつファイバを連続的に供給することにより、ファイバを胴部に巻き付ける。
【００１２】
この場合、ファイバの始端部は、従来のように、鍔部の内側に留まることなく、鍔部の外側に逃げているので、この始端部近傍の光ファイバに過度の曲りが生じることがなく、整列巻きを行える。特に、ガイド手段（貫通孔）を胴部の中心軸に対して７０〜９０°の角度をなす方向に形成することにより、光ファイバのガイド（案内）が円滑になる。
【００１３】
【実施例】
実施例１
図１ないし図４は本発明の実施例１に係る光ファイバ用リールを示すものであり、図１はそのリールの平面図、図２は図１のＡ部の拡大断面図、図３は図１のリールの正面図、図４は図３のＢ部の拡大正面図である。
【００１４】
実施例１の光ファイバ用リール１１は合成樹脂その他の材料で軽量に作られたものであって、胴部２と一対の鍔部３ａ，３ｂとからなる。胴部２は光ファイバの巻き付け角度を考慮した所要の外径と、巻き付け量を考慮した所要の軸方向長とを有した円筒形になっており、その両端には鍔部３ａ，３ｂがそれぞれ設けられている。この鍔部３ａ，３ｂの鍔高さは光ファイバの巻き付け高さに合わせたものにされている。
【００１５】
鍔部３ａは貫通孔４とこれに連成された引出溝５とを有している。この貫通孔４は、図３に示されるように胴部２の外周接線Ｌを通る面内であって、かつ図２に示されるように胴部２に面した鍔部３ａの内面側に入口４ａが外面側に出口４ｂがあるものでその入口４ａは光ファイバの始端部の曲がりを極力なくすうえで図１からみて好ましくは胴部２の中心軸Ｍに位置しているとともに、その入口４ａに対し出口４ｂはその中心軸Ｍから胴部２の径方向にずれて位置しており、この位置関係で入口４ａと出口４ｂとを連絡する孔内部は光ファイバのガイド路として胴部２の中心軸Ｍに対して所要の角度θをなす方向の直線状になっている。この角度θは光ファイバのガイドが円滑になるように設定されるが、好ましくは７０°〜９０°の範囲がよく、最も好ましくは８０°〜９０°の範囲がよい。また、この貫通孔４は入口４ａから出口４ｂにかけて直線状であったが、完全な直線状にする必要は必ずしもなく光ファイバのガイド路として機能する限りにおいては入口４ａから出口４ｂにかけて多少湾曲していてもよい。貫通孔４そのものの横断面形状は、光ファイバの挿入が容易なように円形になっているが、光ファイバの円滑な挿入に支障のない限りにおいては円形でなく四角形のような多角形とかその他の形状であってもよい。このように上記貫通孔４は光ファイバを入口４ａからその内部に挿入して出口４ｂにまでガイドする場合において該光ファイバを胴部２の外周接線方向に沿って鍔部３ａの内側から外側にガイドするガイド手段の一例として作用する。
【００１６】
次に、引き出し溝５は底面とこれに対向する天面と、底面と天面とをつなぐ側面とで横断面形状が半円形になって鍔部３ａの外面側に面しており、かつその底面は胴部２の外面接線方向に平坦に作られている。そして、この引き出し溝５の溝幅Ｗと溝深さＤは共に光ファイバのガイドが円滑になるようにそれぞれ光ファイバの断面径より若干大になっており、この引き出し溝５も前記ガイド手段として作用する。
【００１７】
上記構成において、光ファイバをこの光ファイバ用リール１１に巻き付ける場合には、最初に光ファイバの始端部をこのリール１の貫通孔４に沿わせて鍔部３ａの内側から外側に引き出す。
【００１８】
そして、リール１１を回転させつつ光ファイバを連続的に供給することにより、光ファイバを胴部２に巻き付ける。
【００１９】
その場合、光ファイバの始端部は、従来のように、鍔部２の内側に留どまることなく、鍔部３ａの外側に円滑に延出されているので、胴部２に巻回される始端部近傍の光ファイバには過度な曲がりが生じることがなく、整列巻きを行える。
【００２０】
また、粘着テープ等を使用しなくても、光ファイバを貫通孔４に挿通するだけで、その始端部が鍔部３ａに係止されるので、光ファイバの巻き付けの際の始端部の処理が容易になる。
【００２１】
なお、リール１１への光ファイバの巻き付けを完了した後、光ファイバの始端部を引出溝５内に嵌入すれば、光ファイバが鍔部３ａから突出することがなくなるため、このリール１１の鍔部３ａを基板に安定して固定することができて便利であるが、引出溝５を省略することも可能である。
【００２２】
参考例
図５は本発明の参考例に係る光ファイバ用リールの平面図、図６は図５のＣ部を拡大して示す断面図、図７は図５のリールの正面図、図８は図７のＤ部を拡大して示す正面図であり、実施例１に対応する部分には同一の符号を付す。
【００２３】
この参考例の光ファイバ用リール１２は、鍔部３ａを内外に渡って斜めに切り欠いた切欠部６が形成されるとともに、鍔部３ａの外側において切欠部６から連接して引出溝５が設けられていることである。
【００２４】
その他の構成は実施例１の場合と同様であるから説明を省略する。
【００２５】
この参考例の場合も、実施例１の場合と同様に、光ファイバの始端部を切欠部６に沿って鍔部３ａの外側に引き出せるため、光ファイバの整列巻きを行える。
【００２６】
また、この参考例のような切欠部６を設ければ、実施例１のように貫通孔５ａへ光ファイバを挿通する手間が省けるため、光ファイバの引き出しが容易に行えるが、一方で光ファイバの巻き付けの際に始端部が外れ易くなるため、鍔部３ａの外側で予め始端部を粘着テープ等で固定しておく必要がある。
【００２７】
なお、この参考例では、切欠部と６して鍔部３ａを斜めに切り欠いた形状としたが、鍔部３ａをその周方向に沿って所定の長さ分だけ切り欠いたものであってもよい。また、実施例１と同様に、引出溝５を省略することも可能である。
【００２８】
また、上記の実施例１では、ガイド手段としての貫通孔４を鍔部３aの一箇所にのみ形成しているが、複数箇所に形成することもでき、他方の鍔部３bにも同時に形成することが可能である。
【００２９】
【発明の効果】
本発明によれば、光ファイバの整列巻きを行えるので、充填密度が向上し、長尺の光ファイバの巻き付けが可能となるばかりか、局部的に過度な曲げが生じることもないので、損失が大きくなる等の不都合を生じることもない。特に、ガイド手段（貫通孔）を胴部の中心軸に対して７０〜９０°の角度をなす方向に形成することにより、光ファイバのガイド（案内）が円滑になる。
【図面の簡単な説明】
【図１】本発明の実施例１に係る光ファイバ用リールの平面図である。
【図２】図１のＡ部を拡大して示す断面図である。
【図３】図１のリールの正面図である。
【図４】図３のＢ部を拡大して示す正面図である。
【図５】本発明の参考例に係る光ファイバ用リールの平面図である。
【図６】図５のＣ部を拡大して示す断面図である。
【図７】図５のリールの正面図である。
【図８】図７のＤ部を拡大して示す正面図である。
【図１】
0003628716.tif 000002
【図２】
0003628716.tif 000003
【図３】
0003628716.tif 000004
【図４】
0003628716.tif 000005
【図５】
0003628716.tif 000006
【図６】
0003628716.tif 000007
【図７】
0003628716.tif 000008
【図８】
0003628716.tif 000009